【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
上位装置との間でデータの送受を行う第一の記憶システムと、
前記第一の記憶システムに接続され、前記第一の記憶システムからデータを受ける第二の記憶システムと、
前記第一の記憶システムに接続され、前記第一の記憶システムからデータを受ける第三の記憶システムとを有し、
前記第一の記憶システムは、
前記上位装置から送られたデータが書き込まれる第一の記憶領域と、
前記第一の記憶領域に書き込まれたデータと当該データに関する更新情報とが書き込まれる第二の記憶領域とを有しており、
前記第二の記憶システムは、
前記第一の記憶システムから送られたデータが書き込まれる第三の記憶領域と、
前記第三の記憶領域に書き込まれたデータと当該データに関する更新情報とが書き込まれる第四の記憶領域とを有しており、
前記第三の記憶システムは、
前記第二の記憶領域から読み出されたデータと当該データに関する更新情報とが書き込まれる第五の記憶領域と、
前記第五の記憶領域に書き込まれたデータと当該データに関する更新情報とを基にして生成されたデータが書き込まれる第六の記憶領域と、を有するものであることを特徴とするデータ処理システム。
【請求項２】
コンピュータから受信したデータを格納するための第一の記憶領域と、当該データ及び当該データの受信順序に関する順序情報とを格納する第二の記憶領域とを有する、第一の記憶システムと、
前記第一の記憶システムから受信したデータを格納するための第三の記憶領域と、当該データ及び当該データの順序情報とを格納するための第四の記憶領域とを有する、第二の記憶システムと、
データ及び当該データの順序情報を受信するための要求を送信し、当該要求に応じて受信したデータ及び当該データの順序情報を格納するための第五の記憶領域と、受信したデータを前記第五の記憶領域に格納されている当該データの順序情報に基づいて格納するための第六の記憶領域とを有する、第三の記憶システムとを有し、
前記第一の記憶領域に対して前記コンピュータから書き込まれたデータが前記第一の記憶システムによって受信された場合に、当該データは前記第一の記憶領域に格納され、当該データと当該データの順序情報とは前記第二の記憶システムに送信されると共に前記第二の記憶領域に格納され、
前記第三の記憶システムからの要求に応じて、前記第二の記憶領域に格納されているデータ及び当該データの順序情報は、前記第一の記憶システムから前記第三の記憶システムへ送信され、
前記第一の記憶システムに関する障害が発生した場合に、前記第三の記憶システムは、データ及び当該データの順序情報を受信するための要求のあて先を、前記第一の記憶システムから前記第二の記憶システムへと変更し、前記第三の記憶システムからの要求に応じて、前記第四の記憶領域に格納されているデータ及び当該データの順序情報が前記第二の記憶システムから前記第三の記憶システムに送信されることを特徴とする、リモートコピーシステム。
【請求項３】
請求項２記載のリモートコピーシステムであって、
前記障害が発生する前には、前記第一の記憶領域及び前記第六の記憶領域を有する非同期リモートコピーペアが構成されており、前記障害が発生した後には、前記第三の記憶領域及び前記第六の記憶領域を有する非同期リモートコピーペアが構成されることを特徴とするリモートコピーシステム。
【請求項４】
請求項２記載のリモートコピーシステムであって、
前記第一の記憶システムに関する障害とは、前記コンピュータの障害であることを特徴とするリモートコピーシステム。
【請求項５】
請求項２記載のリモートコピーシステムであって、
前記第一の記憶システムに関する障害とは、前記第一の記憶システムの障害であることを特徴とするリモートコピーシステム。
【請求項６】
請求項２記載のリモートコピーシステムであって、
前記障害の後、前記第二の記憶システムはコンピュータからデータを受信すると、当該データを前記第三の記憶領域に格納し、当該データ及び当該データの順序情報を前記第四の記憶領域に格納し、
前記第三の記憶システムからの要求に応じて、前記第四の記憶領域に格納されているデータ及び当該データの順序情報を前記第三の記憶システムに送信することを特徴とするリモートコピーシステム。
【請求項７】
請求項６記載のリモートコピーシステムであって、
前記障害の後、前記第二の記憶システムは更に、コンピュータから受信したデータと当該データの順序情報とを前記第一の記憶システムに送信し、前記第一の記憶システムは前記第二の記憶システムから受信したデータを前記第一の記憶領域に格納し、前記第二の記憶システムから受信したデータ及び当該データの順序情報を前記第二の記憶領域に格納することを特徴とするリモートコピーシステム。
【請求項８】
コンピュータから受信したデータを格納するための第一の論理ボリュームと、当該データ及び当該データの前記コンピュータからの書き込み順序に関する順序情報とを格納するための第二の論理ボリュームとを有する、第一の記憶システムと、
前記第一の記憶システムから受信したデータを格納するための第三の論理ボリュームと、当該データ及び当該データの順序情報とを格納するための第四の論理ボリュームとを有する、第二の記憶システムと、
前記第一の記憶システムから受信したデータ及び当該データの順序情報を格納するための第五の論理ボリュームと、前記第一の記憶システムから受信したデータを前記第五の論理ボリュームに格納されている当該データの順序情報に従って格納するための第六の論理ボリュームとを有する、第三の記憶システムを有し、
前記第一の論理ボリュームをコピー元、前記第三の論理ボリュームをコピー先とする同期リモートコピーペアと、前記第一の論理ボリュームをコピー元、前記第六の論理ボリュームをコピー先とする非同期リモートコピーペアとが構成されており、
前記第一の記憶システムは、前記第一の論理ボリューム宛のデータを前記コンピュータから受信すると、当該データを前記第一の論理ボリュームに格納し、当該データを前記第三の論理ボリュームに格納するために前記第二の記憶システムに送信し、当該データ及び当該データの順序情報を前記第二の論理ボリュームに格納し、前記第三の記憶システムからの要求に応じて前記第二の論理ボリュームに格納されているデータ及び当該データの順序情報を前記第三の記憶システムに送信し、
前記第二の記憶システムは、前記第一の記憶システムからデータを受信し、当該データを前記第三の論理ボリュームに格納し、当該データ及び当該データの順序情報を前記第四の論理ボリュームに格納し、
前記第三の記憶システムは、前記第二の論理ボリュームに格納されているデータ及び当該データの順序情報を受信するための要求を前記第一の記憶システムに送信し、当該要求に応じて受信したデータ及び当該データの順序情報を前記第五の論理ボリュームに格納し、前記第一の記憶システムから受信したデータを前記第五の論理ボリュームに格納されている当該データの順序情報に従って、前記第六の論理ボリュームに格納し、
前記第一の記憶システムに関連する障害が生じた場合に、前記第三の記憶システムは、データ及び当該データの順序情報を受信するための要求を前記第一の記憶システムに送信するのを停止し、前記第三の論理ボリュームをコピー元、前記第六の論理ボリュームをコピー先とする新たな非同期リモートコピーペアが構成され、前記第三の記憶システムは当該新たな非同期リモートコピーペアに従って前記第二の記憶システムに対して、前記四の論理ボリュームに格納されているデータ及び当該データの順序情報を受信するための要求を送信することを特徴とするリモートコピーシステム。
【請求項９】
請求項８記載のリモートコピーシステムであって、
前記障害が生じた場合に、前記第三の記憶システムは前記要求に応じて前記第二の記憶システムから受信したデータ及び当該データの順序情報を前記第五の論理ボリュームに格納し、前記第二の記憶システムから受信したデータを前記第五の論理ボリュームに格納されている当該データの順序情報に基づいて前記第六の論理ボリュームに格納することを特徴とするリモートコピーシステム。